(57)【特許請求の範囲】
【請求項１】
ゴム袋体と、このゴム袋体に設けられた注水部および排水部とを備えた災害用ゴム水嚢において、前記ゴム袋体の少なくとも対向する２つの面に補強層を埋設し、前記ゴム袋体の左右両端に、穴を有する把持部を設け、この穴に嵌合する形状の係合部を前記ゴム袋体の表面に突設したことを特徴とする災害用ゴム水嚢。
【請求項２】
前記把持部が前記ゴム袋体の上面からゴム袋体の左右両端外側に突出した突出部分に前記穴を形成したものであり、前記係合部を前記ゴム袋体の上面に突設した請求項１に記載の災害用ゴム水嚢。
【請求項３】
前記係合部が、前記注水部または前記排水部である請求項１または２に記載の災害用ゴム水嚢。
【請求項４】
前記補強層を埋設した対向する２つの面どうしを連結する面に補強層を埋設して、補強層をゴム袋体に環状に埋設した請求項１〜３のいずれかに記載の災害用ゴム水嚢。
【請求項５】
ゴム袋体を平坦にした際に屈曲して折り畳まれる折り畳み面の剛性を、折り畳まれない非折り畳み面の剛性よりも低く設定した請求項１〜４のいずれかに記載の災害用ゴム水嚢。
【請求項６】
前記ゴム袋体の容積が５０００ｃｍ3〜４００００ｃｍ3である請求項１〜５のいずれかに記載の災害用ゴム水嚢。
【発明の詳細な説明】
【技術分野】
【０００１】
本発明は、災害用ゴム水嚢に関し、さらに詳しくは、内部に水を充填した際に、ゴム袋体の膨出を抑えて形状を保持し易くして、安定性を向上させることができる災害用ゴム水嚢に関するものである。
【背景技術】
【０００２】
大雨や洪水等の災害の際に水の進入を遮断するために使用する土嚢の代わりに、袋体の内部に水を充填して使用する水嚢が種々提案されている（例えば、特許文献１、２参照）。このような水嚢は、水道等からホースを通じて袋体の内部に容易に水を充填することができるので、土嚢に比べて準備に労力を要しないという利点がある。
【０００３】
しかしながら、ゴム袋体などの柔軟な袋体を用いた場合は、内部に水が充填されると袋体が膨出して形状が安定せず、安定性に欠けるという問題があった。そのため、水嚢は土嚢に比して、安定して設置するには不利であり、ずれたり崩れたりしないように注意深く設置する必要あるため、設置に時間を要するものであった。
【先行技術文献】
【特許文献】
【０００４】
【特許文献１】特開２００５−１６３５１４号公報
【特許文献２】特開２００８−６３９２５号公報
【発明の概要】
【発明が解決しようとする課題】
【０００５】
本発明の目的は、内部に水を充填した際に、ゴム袋体の膨出を抑えて形状を保持し易くして、安定性を向上させることができる災害用ゴム水嚢を提供することにある。
【課題を解決するための手段】
【０００６】
上記目的を達成するため本発明の災害用ゴム水嚢は、ゴム袋体と、このゴム袋体に設けられた注水部および排水部とを備えた災害用ゴム水嚢において、前記ゴム袋体の少なくとも対向する２つの面に補強層を埋設し、前記ゴム袋体の左右両端に、穴を有する把持部を設け、この穴に嵌合する形状の係合部を前記ゴム袋体の表面に突設したことを特徴とする。
【発明の効果】
【０００７】
本発明の災害用水嚢によれば、ゴム袋体の少なくとも対向する２つの面に補強層を埋設することにより、ゴム袋体の内部に水を充填した際に、埋設された補強層がゴム袋体の膨出を抑えるので、ゴム袋体の形状を保持するには有利になる。それ故、水を充填したゴム水嚢を必要な場所に安定して設置することが可能になる。また、把持部を持つことにより、ゴム水嚢を搬送し易くなる。
【０００８】
ここで、前記把持部が前記ゴム袋体の上面からゴム袋体の左右両端外側に突出した突出部分に前記穴を形成したものであり、前記係合部を前記ゴム袋体の上面に突設した仕様にすることもできる。
【０００９】
前記係合部が、前記注水部または前記排水部である仕様にすることもできる。
【００１０】
前記補強層を埋設した対向する２つの面どうしを連結する面に補強層を埋設して、補強層をゴム袋体に環状に埋設した仕様にすることもできる。この仕様によれば、ゴム袋体に水を充填した際に、環状に埋設された補強層がゴム袋体の膨出を抑えるので、ゴム袋体の形状を保持するには一段と有利になる。それ故、更に安定してゴム水嚢を設置することができる。
【００１１】
ゴム袋体を平坦にした際に屈曲して折り畳まれる折り畳み面の剛性を、折り畳まれない非折り畳み面の剛性よりも低く設定した仕様にすることもできる。この仕様によれば、ゴム袋体を折り畳み易くなるので、ゴム袋体の内部に充填した水を排出させる作業の軽労化を図ることができる。また、ゴム袋体をより平坦にし易くなるので、ゴム水嚢の搬送や保管には便利になる。
【００１２】
前記ゴム袋体の容積は、５０００ｃｍ3〜４００００ｃｍ3にするのが好ましい。この仕様によれば、ゴム袋体の内部に水を充填した場合であっても、一人または二人の人力でゴム水嚢を移動させることができるので、取り扱いが容易になる。
【図面の簡単な説明】
【００１３】
【図１】本発明の参考形態となる災害用ゴム水嚢を例示する斜視図である。
【図２】図１のＡ−Ａ断面図である。
【図３】補強層の配置の変形例を示すゴム水嚢の断面図である。
【図４】図２のゴム水嚢を折り畳んだ状態を例示する断面図である。
【図５】図２のゴム水嚢を複数積み上げた状態を例示する断面図である。
【図６】別の参考形態のゴム水嚢を複数積み上げた状態を例示する断面図である。
【図７】本発明の実施形態のゴム水嚢を例示する斜視図である。
【図８】図７のゴム水嚢を複数連結した状態を例示する断面図である。
【図９】別の実施形態のゴム水嚢を例示する斜視図である。
【発明を実施するための形態】
【００１４】
以下、本発明の災害用ゴム水嚢を図に示した実施形態に基づいて説明する。
【００１５】
図１、図２に例示するように本発明の参考形態となる災害用ゴム水嚢１（以下、ゴム水嚢１という）は、ゴム袋体２と、ゴム袋体２に設けられた注水部７および排水部８とを備えている。この参考形態では、内部に水が充填された際のゴム袋体２の形状は直方体状であり、その上面３ａに注水部７、下面３ｂに排水部８が設けられている。ゴム袋体２は、立方体状や多角柱状などの種々の形状にすることができる。
【００１６】
ゴム袋体２を形成するゴム種としては、例えば、天然ゴム、スチレン・ブタジエンゴム、クロロプレンゴムおよびＥＰＤＭゴムおよびそれらのブレンドゴム等を例示できる。その他に、ニトリル・ブタジエンゴム等の他のゴムおよび塩化ビニル樹脂やウレタン樹脂などの合成樹脂も目的に応じて使用することができる。それぞれの面３ａ〜３ｆのゴム厚は、例えば、１ｍｍ〜１０ｍｍ程度である。
【００１７】
注水部７は硬質樹脂等で形成されていて、一部がゴム袋体２（上面３ａ）に埋設されて、蓋部７ａは上面３ａの表面から突出している。ゴム袋体２の内部に水を充填する際には、蓋部７ａを外して開口し、水道ホースや消防ホース等の水供給ホースを開口に挿入して水を充填する。
【００１８】
尚、注水部７にワンタッチカプラー等のホース継手を設置すると水道圧等により、早急の注水が可能となるので更に好ましい。
【００１９】
排水部８は硬質樹脂等で形成されていて、ゴム袋体２の下面３ｂの表面から窪んだ凹部４になっている。排水部８は、上面３ａの表面から突出した注水部７（蓋部７ａ）に嵌合する形状になっている。ゴム袋体２の内部に充填された水を排出する際には、蓋部８ａを外して開口する。尚、注水部７、排水部８の構造は、この参考形態に例示したものに限定されず、他の構造を採用することもできる。
【００２０】
ゴム袋体２を構成する面３ａ〜３ｆのうち、対向する２つの面３ａ、３ｂのみに、補強層６が埋設されている。補強層６には、例えば平織の帆布、すだれ織コードなど種々の繊維補強層が用いられる。ゴム袋体２に補強層６がまったく埋設されていない場合は、それぞれの面３ａ〜３ｆが充填された水の圧力によって不規則に膨出するので、ゴム袋体２の形状が安定しない。そこで、ゴム袋体２の形状を安定させようとすれば、それぞれの面３ａ〜３ｆのゴム厚を過剰に厚くする必要がある。
【００２１】
一方、このゴム水嚢１のように、ゴム袋体２の対向する２つの面３ａ、３ｂに補強層６を埋設すると、ゴム袋体２の内部に水を充填した際に、埋設された補強層６が、その面３ａ、３ｂの膨出を抑え、これに伴って他の面３ｃ〜３ｆの膨出もある程度抑制される。そのため、ゴム袋体２のゴム厚を過剰に厚くすることなく、形状を保持するには有利になる。補強層６が埋設された面３ａ、３ｂは、平坦状を維持し易くなるので、これらの面３ａ、３ｂを上下面にすれば、水を充填したゴム水嚢１を必要な場所に安定して設置することが可能になる。災害時には、多数のゴム水嚢１を並べて積み上げるので、それぞれのゴム水嚢１を安定して設置できれば、積み上げたゴム水嚢１が崩れ難くなる。また、ゴム水嚢１が崩れないように過度に注意を払って設置作業をする必要がなくなるので、設置作業の迅速化にも寄与する。
【００２２】
図２のゴム水嚢１では、補強層６が埋設された面３ａ、３ｂが平坦状に保持されているので、補強層６が埋設されていない面３ｃ、３ｄ、３ｅ、３ｆを下面にしてもある程度安定して設置することができる。
【００２３】
補強層６は、少なくとも対向する２面に埋設されていればよく、図３に例示するように、補強層６を埋設した対向する２つの面３ａ、３ｂどうしを連結する面３ｅ、３ｆに補強層６を埋設し、他方の面３ｃ、３ｄには補強層６を埋設しないようにして、補強層６をゴム袋体２に環状に埋設した仕様にすることもできる。或いは、袋体２を構成するすべての面３ａ〜３ｆに補強層６を埋設することもできる。
【００２４】
図３に例示するように、補強層６をゴム袋体２に環状に埋設すると、ゴム袋体２に水を充填した際に、環状に埋設された補強層６がゴム袋体２の膨出を抑える。そのため、ゴム袋体２の形状を保持するには一段と有利になり、更に安定してゴム水嚢１を設置することができる。ただし、補強層６を埋設する面が多くなるとゴム水嚢１の重量が重くなったり、ゴム袋体２を折り畳み難くなるという弊害が生じることもある。
【００２５】
図３のゴム水嚢１でも、補強層６が埋設されていない面３ｃ、３ｄを下面にしてもある程度安定して設置することができる。
【００２６】
ゴム袋体２の内部に水が充填されてなく空の状態では、ゴム水嚢１は、図４に例示するように、面３ｃ、３ｄ、３ｅ、３ｆを屈曲させて平坦に折り畳むことができる。屈曲して折り畳まれる面３ｃ、３ｄ、３ｅ、３ｆは、できるだけ剛性（面の曲げ易さ）を低くするのが好ましい。これにより、ゴム袋体２を折り畳み易くなり、ゴム袋体２の内部に充填した水を排出させる作業の軽労化を図ることができる。また、ゴム袋体２をより平坦にし易くなるので、ゴム水嚢１の搬送や保管には便利になる。
【００２７】
一方、折り畳まれない非折り畳み面３ａ、３ｂは、剛性が低いと袋体２の内部に水が充填された場合に、膨出し易くなるので、ある程度、剛性が高くするのがよい。それ故、ゴム袋体２を平坦にした際に屈曲して折り畳まれる折り畳み面３ｃ、３ｄ、３ｅ、３ｆの剛性を、折り畳まれない非折り畳み面３ａ、３ｂの剛性よりも低く設定することが好ましい。
【００２８】
それぞれの面３ａ〜３ｆのゴム種、ゴム厚が同じであれば、補強層６が埋設された面は、埋設されていない面よりも剛性が高くなる。そこで、補強層６の埋設の有無によって剛性の高低を調整することができる。或いは、埋設する補強層６の硬さや層数によって剛性の高低を調整することができる。もちろん、それぞれの面３ａ〜３ｆのゴム種、ゴム厚の少なくとも一方を異ならせることで剛性の高低を調整することもできる。
【００２９】
注水部７および排水部８は、任意の位置に設けることができるが、蓋７ａ、８ａの開閉時などに注水部７、排水部８を設けた面３ａ、３ｂには負荷が生じることがあるので、補強層６が埋設された面に設けることが好ましい。この参考形態では、注水部７と排水部８とを別々に設けているが、両者を共通化して１つの注排水部にすることもできる。
【００３０】
図５に例示するにように、ゴム水嚢１を積み上げる際には、積み上げるゴム水嚢１の排水部８を、下方に位置するゴム水嚢１の注水部７（蓋部７ａ）に嵌合させる。これにより、互いのゴム水嚢１を連結させて一体化させることができる。そのため、ゴム水嚢１がずれたり崩れたりし難くなる。ゴム袋体２の表面に突設した注水部８と、凹部にした排水部８とを利用するので、特別な突部を設ける必要もない。
【００３１】
図６に例示するように、注水部７と排水部８をそれぞれ上面３ａ、下面３ｂにおいて、オフセットして配置することもできる。この参考形態によれば、積み上げるゴム水嚢１が、下方に位置する２つのゴム水嚢１に跨って設置されるので、複数のゴム水嚢１を積み上げて設置されるゴム水嚢１の一群の安定性を向上させることができる。
【００３２】
注水部７と排水部８とを嵌合させる構造だけでなく、注水部７と排水部８の少なくとも一方をゴム袋体２の表面に突設し、突設した注水部７または排水部８に嵌合する形状の凹部をゴム袋体２に設ければよい。例えば、ゴム袋体２の表面に注水部７を突設し、この注水部７に嵌合する形状の凹部をゴム袋体２のいずれかの位置に設けた構造にすることもできる。
【００３３】
図７に例示するように、本発明ではゴム袋体２の両端に把持部５を設ける。この実施形態では、上面３ａの両端に、把持部５として手を入り込ませることができる穴が形成されている。把持部５を持つことにより、ゴム水嚢１を搬送し易くなる。
【００３４】
この実施形態では、上面３ａに把持部５の穴に嵌合する形状に形成された係合部９が設けられている。そのため、図８に例示するように、複数のゴム水嚢１を並べる際に、左右に隣り合うゴム水嚢１の一方のゴム水嚢１の把持部５を、他方のゴム水嚢１の係合部９に嵌合させることにより、互いのゴム水嚢１を連結することができる。それ故、並んで設置されるゴム水嚢１の一群の安定性を向上させることができる。
【００３５】
図９に例示する実施形態では、ゴム袋体２の両端に把持部５が設けられるとともに、上面３ａに突設された注水部７がオフセットされて配置されている。そして、注水部７が把持部５の穴に嵌合する形状になっている。それ故、複数のゴム水嚢１を並べる際に、左右に隣り合う一方のゴム水嚢１の把持部５を、他方のゴム水嚢１の注水部７に嵌合させることにより、互いのゴム水嚢１を連結することができる。それ故、並んで設置されるゴム水嚢１の一群の安定性を向上させることができる。排水部８をゴム袋体２の表面に突出させて、把持部５の穴に嵌合させるようにすることもできる。
【００３６】
ゴム水嚢１は、ゴム袋体２の内部が空の状態で所定位置に配置し、その後、内部に水を充填して設置することも、予めゴム袋体２の内部に水を充填してから所定位置に設置することもできる。また、本願発明のゴム水嚢１だけを並べたり、積み重ねるだけでなく、通常の土嚢を適宜配置して、土嚢とゴム水嚢１と組み合わせて設置することもできる。
【００３７】
ゴム袋体２の容積は例えば、５０００ｃｍ3〜４００００ｃｍ3程度にするのが好ましい。この容積であれば、ゴム袋体２の内部に水を充填した場合であっても、一人または二人の人力でゴム水嚢１を移動させることができるので、取り扱いが容易になる。一人の人力で移動させるようにするには、ゴム袋体２の容積を５０００ｃｍ3〜２００００ｃｍ3程度にするとよい。
【符号の説明】
【００３８】
１  災害用ゴム水嚢
２  ゴム袋体
３ａ、３ｂ、３ｃ、３ｄ、３ｅ、３ｆ  ゴム袋体の面
４  凹部
５  把持部
６  補強層
７  注水部
７ａ  蓋
８  排水部
８ａ  蓋
９  係合部
【図１】
0005648486.tif 000002
【図２】
0005648486.tif 000003
【図３】
0005648486.tif 000004
【図４】
0005648486.tif 000005
【図５】
0005648486.tif 000006
【図６】
0005648486.tif 000007
【図７】
0005648486.tif 000008
【図８】
0005648486.tif 000009
【図９】
0005648486.tif 000010